(57)【要約】【課題】使用者の必要に応じてスタンド型か、床置き型かを自由に選択できる多用途送風機を提供する。【解決手段】  多用途送風機であり、ファンと、第一支持部２０と、第二支持部３０とから構成されており、前記ファンは、ハウジング内に設置されており、第一表面１５と第二表面１６を有しており、前記第一表面１５は第二表面１６と垂直であり、前記ハウジングは下記の方法の中の一つの方法によって支持することができ、その方法は、前記第一支持部２０が前記第一表面１５上に設置される方法、および前記第二支持部３０が前記第二表面１６上に設置される方法である。【選択図】  図１ 
0003108234.tif 000002
【実用新案登録請求の範囲】
【請求項１】
ファンと、第一支持部と、第二支持部とからなる多用途送風機において、
前記ファンは、ハウジング内に設置されており、第一表面と第二表面を有しており、
前記第一表面は第二表面と垂直であり、前記ハウジングは下記の方法の中の一つの方法によって支持することができ、その方法は、
前記第一支持部が前記第一表面上に設置される方法、および
前記第二支持部が前記第二表面上に設置される方法
であることを特徴とする多用途送風機。
【請求項２】
前記第一支持部は、離れた状態で前記第一表面と接合することができ、前記第二支持部は、離れた状態で前記第二表面と接合することができることを特徴とする請求項１に記載の多用途送風機。
【請求項３】
前記ハウジングは、管状部を含んでおり、二つの相対する端部を有しており、それぞれ蓋部によって密封されており、前記蓋部は円形の頂部表面を有しており、周縁面と前記頂部表面は接続されており、前記周縁面は前記頂部表面と垂直であることを特徴とする請求項２に記載の多用途送風機。
【請求項４】
前記第一表面は、前記両端に設けられている蓋部の一方の頂部表面であり、前記第二表面は前記両端に設けられている蓋部の一方の周縁面であり、前記第二支持部は二本の支脚によって構成されており、それぞれ独立して前記両端の蓋部の周縁面と接合されていることを特徴とする請求項３に記載の多用途送風機。
【請求項５】
前記ファンは細長い回転式のローラーであり、若干の羽根を有しており、軸方向に回転することができ、前記管状部は回動できるように前記両端の蓋部と接合されていることを特徴とする請求項４に記載の多用途送風機。
【請求項６】
前記管状部は少なくとも一つの柵部を含むことを特徴とする請求項５に記載の多用途送風機。
【考案の詳細な説明】
【技術分野】
【０００１】
本考案は送風機に係り、特に一種類以上の操作配置方法を有する送風機に関わる。
【背景技術】
【０００２】
現在各種の送風機が生産されており、それらは使用する条件や位置に合わせてすでに組立てられたものである。例えば、風速や高さを調整することができるものや、低騒音のものなどの特徴を有するものがある。床置き型の送風機もあり、リビングルームなどにおいて使用されている。実際一般によく見かけるスタンド型の送風機は、当然前述の床置き型の送風機とは異なる条件や位置に使用されるために存在する。そのために、スタンド型と床置き型の送風機を有効的に整合させることができた場合、製造コストを大幅に下げるだけでなく、在庫の問題も改善でき、消費者においては必要に応じてスタンド型を使用するか床置き型を使用するかを自由に選択できる。
【考案の開示】
【考案が解決しようとする課題】
【０００３】
本考案の目的は、使用者の必要に応じてスタンド型か、床置き型かを自由に選択できる多用途送風機を提供することである。
【課題を解決するための手段】
【０００４】
前記課題を解決するために、
請求項１の考案は、ファンと、第一支持部と、第二支持部とからなる多用途送風機において、
前記ファンは、ハウジング内に設置されており、第一表面と第二表面を有しており、
前記第一表面は第二表面と垂直であり、前記ハウジングは下記の方法の中の一つの方法によって支持することができ、その方法は、
前記第一支持部が前記第一表面上に設置される方法、および
前記第二支持部が前記第二表面上に設置される方法
であることを特徴とする多用途送風機である。
【０００５】
請求項２の考案は、前記第一支持部は、離れた状態で前記第一表面と接合することができ、前記第二支持部は、離れた状態で前記第二表面と接合することができることを特徴とする請求項１に記載の多用途送風機である。
【０００６】
請求項３の考案は、前記ハウジングは、管状部を含んでおり、二つの相対する端部を有しており、それぞれ蓋部によって密封されており、前記蓋部は円形の頂部表面を有しており、周縁面と前記頂部表面は接続されており、前記周縁面は前記頂部表面と垂直であることを特徴とする請求項２に記載の多用途送風機である。
【０００７】
請求項４の考案は、前記第一表面は、前記両端に設けられている蓋部の一方の頂部表面であり、前記第二表面は前記両端に設けられている蓋部の一方の周縁面であり、前記第二支持部は二本の支脚によって構成されており、それぞれ独立して前記両端の蓋部の周縁面と接合されていることを特徴とする請求項３に記載の多用途送風機である。
【０００８】
請求項５の考案は、前記ファンは細長い回転式のローラーであり、若干の羽根を有しており、軸方向に回転することができ、前記管状部は回動できるように前記両端の蓋部と接合されていることを特徴とする請求項４に記載の多用途送風機である。
【０００９】
請求項６の考案は、前記管状部は少なくとも一つの柵部を含むことを特徴とする請求項５に記載の多用途送風機である。
【考案の効果】
【００１０】
本考案により、使用者の必要に応じてスタンド型を使用するか、床置き型を使用するかを自由に選択できる多用途送風機を提供することができた。
【考案を実施するための最良の形態】
【００１１】
図１、２、３、４は本考案の第一実施例の図式であり、送風機本体１０と、第一支持部２０と、第二支持部３０とによって構成されている。
【００１２】
前記送風機本体１０は、ファン（図なし）を含んでおり、前記ファンの比較的好適なものとしては若干の羽根を有する細長い回転式のローラーであり、円筒状のハウジング内部に設置されており、さらに管状部１１と、第一蓋部１２と、第二蓋部１３と、少なくとも一つの吹出口１４とによって構成されており、前記吹出口１４の比較的好適なものとしては柵部を有しているものである。前記管状部１１は回動できる方式によって前記第一蓋部１２と第二蓋部１３に接合されており、第一表面１５と、第一表面１５と垂直である第二表面１６が形成されている。
【００１３】
前記第一蓋部１２は、第一被支持部１７を含んでおり前記第一表面１５上に設けられている。同様に、前記第一蓋部１２と第二蓋部１３は、それぞれ第二被支持部１８を含んでおり前記第二表面１６上に設けられている。前記送風機本体１０と接続するために、前記第一被支持部１７と第二被支持部１８と、前記第一支持部２０と第二支持部３０は結合されており、前記結合方式に関しては後ほどさらに詳細に説明を行う。前記第一被支持部１７と第二被支持部１８は如何なる形式にも設計することができ、挿入溝、挟止片、取り付けピンやその他の接続、固定方法を採用することができる。前記第一被支持部１７は本実施例においては挿入溝形式であり、前記第二被支持部１８は少なくとも一つの挟止片によって構成されている。
【００１４】
操作時、図２、３に示すように、前記第一被支持部１７と第一接合部２１を結合させ、前記送風機本体１０を前記第一支持部２０に接続し、これにより使用者は第一、或いは直立の操作形態を選択できる。このほか、前記第一接合部２１、第一支持部２０の比較的好適なものとしては挟止部２２を有するものであり、それにより弾性を有することができる。前記送風機本体１０は、本実施例においては、前記第一接合部２１に前記第一被支持部１７を挿入するという挿入溝形式によって接合されており、前記第二被支持部１８は少なくとも一つの挟止片によって構成されている。
【００１５】
この第一、或いは直立の操作状態においては、前記ハウジングの管状部１１は、前記ファン（図なし）を包み込んでその周囲を回動し、前記ファンの回転と前記管状部１１の回動によって、放射状の方向に前後に揺動し、横向きに移動する気流を回転軸から生成する。前記第一支持部２０は前記送風機本体１０から取り外すことができ、収納や組み立て、第二、或いは水平の形態での操作などを行うのに便利になっている。
【００１６】
図４、５に示すように、前記第二、或いは水平の形態での操作においては、前記第二被支持部１８と第二接合部３１を結合し、前記送風機本体１０と前記第二支持部３０を接続する。図５に示すように、前記第二接合部３１を前記第二被支持部１８に挿入することによって、前記第二被支持部１８を前記第二接合部３１にしっかりと挟止することができ、前記送風機本体１０をしっかりと前記第二支持部３０と接触させることができる。前記第一接合部２１と第二接合部３１と、これに対応する第一被支持部１７と第二被支持部１８のオスメス関係は逆にすることができ、この構造も本考案の精神から逸脱するものではない。
【００１７】
従って、第二の形態において、前記ハウジングの管状部１１は前記ファン（図なし）を包み込んでその周囲を回動し、前記ファンの回転と前記管状部１１の回動によって、放射状の方向に前後に揺動し、垂直方向に移動する気流を生成する。前記第二支持部３０は前記送風機本体１０から取り外すことができ、収納や組み立てや垂直方向である第一の形態での操作を行うのに便利になっている。
【００１８】
図６、７、８は本考案のもう一つの実施例を示すものであり、送風機本体４０と、第一支持部５０と、第二支持部６０とによって構成されている。
【００１９】
第一実施例と類似する点は、前記送風機本体４０はファン（図なし）を含んでおり、比較的好適なものとしては若干の羽根を有する細長い回転式のローラーであり、円筒状のハウジング内に設置されており、さらに管状部４１と、第一蓋部４２と、第二蓋部４３と、少なくとも一つの吹出口４４とによって構成されており、前記吹出口４４の比較的好適なものとしては柵部を有しているものである。前記管状部は回動できる方式によって前記第一蓋部４２と第二蓋部４３に接合されている。
【００２０】
本実施例においては、前記第一支持部５０と第一蓋部４２は一体構造となっている。前記送風機を第一、或いは直立の形態で使用する場合は、前記送風機本体４０は第一蓋部４２上に跨設される。前記送風機は前述の第一実施例と類似して横向きに揺動する気流を生成する。
【００２１】
前記送風機を第二、或いは水平の形態で使用する場合は、送風機を９０度傾けるだけでよく、前記送風機は第二支持部６０上に跨設される。図に示すように、前記第二支持部６０は４本の支脚６１によって構成されており、Ｕ字管６２が形成されている。前記Ｕ字管６２は前記送風機全体の構造を安定させており、新たな使用の選択を増やす機能を有している。前記第二支持部６０には取っ手６３を増設して利便性をさらに増加させることができる。この第二形態において、前記送風機は前述の第一実施例に類似して垂直方向に揺動する気流を生成する。
【００２２】
図６、７、８に示す独特の実施例は、前記第一支持部５０と第二支持部６０を接合したものであり、前記実施例は卓上型の個人用としての使用に適するものである。
【００２３】
本考案は、公知構造の床置き型の送風機とスタンド型の送風機を整合したものであり、使用者の必要に応じてスタンド型を使用するか、床置き型を使用するかを自由に選択して組立てることができるという今までにない構造の送風機である。
【図面の簡単な説明】
【００２４】
【図１】本考案の第一の操作形態を示す立体図である。
【図２】図１の立体分解図である。
【図３】図２における局部拡大図である。
【図４】本考案の第二の操作形態を示す立体図である。
【図５】図４の立体分解図である。
【図６】本考案の第二実施例における第一の操作形態を示す立体図である。
【図７】図６の背面図である。
【図８】図６における第二の操作形態を示す立体図である。
【符号の説明】
【００２５】
１０      送風機本体
１１      管状部
１２      第一蓋部
１３      第二蓋部
１４      吹出口
１５      第一表面
１６      第二表面
１７      第一被支持部
１８      第二被支持部
２０      第一支持部
２１      第一接合部
２２      挟止部
３０      第二支持部
３１      第二接合部
４０      送風機本体
４１      管状部
４２      第一蓋部
４３      第二蓋部
４４      吹出口
５０      支持部
６０      支持部
６１      支脚
６２      Ｕ字管
６３      取っ手
【図１】
0003108234.tif 000003
【図２】
0003108234.tif 000004
【図３】
0003108234.tif 000005
【図４】
0003108234.tif 000006
【図５】
0003108234.tif 000007
【図６】
0003108234.tif 000008
【図７】
0003108234.tif 000009
【図８】
0003108234.tif 000010